(57)【要約】【課題】両替装置は、特定の店舗、かつ単一のカードに対してのみ換金可能であるため、利用者が限られてしまう。また、換金額を決定する換金率の設定を、利用状況、プレミア等に応じて変更することができない。また、カード類の換金額全額を換金してしまうため、利用者の要望に合わせて換金金額を指定することができず、使い勝手に問題がある。【解決手段】購入金額相当記録カードが換金可能であれば、現金自動取引装置にカード換金可能金額情報を表示し、利用者に換金を行うかどうかを選択させる。ここで利用者により換金を行う意思が確認された場合、カードを換金する。また、上位装置に記憶するカード情報に、カード毎の換金率を設定可能とする。利用者は、カードを換金する際、カード毎の換金率を元に算出した換金金額を受け取る。また、この換金率は、他装置により随時設定可能とする。【選択図】  図１
2004164356.tif 000002
【特許請求の範囲】
【請求項１】
現金自動取引装置において、カードに記録された購入金額相当を現金にすることを確認する旨の画面を表示する手段と、利用者の確認にて購入金額相当分を現金にて払い出す手段を設けることにより、購入金額相当が記録されているカード類を現金化できることを特徴とする現金自動取引装置。
【請求項２】
上位装置、または他装置により、前記カード類に記録された購入金額相当分を現金にする際の換金率を指定する手段と、設定された換金率を元に前記カード類の購入金額相当換金金額を算出し、表示する手段を設けることを特徴とする現金自動取引装置。
【請求項３】
請求項１，２において表示される購入金額相当換金金額の範囲内において、利用者の希望する金額を利用者が受け取る手段と、払い出される金額に応じて、前記カードから該当金額、及び金額分を差し引いた情報を、前記カードに書き込む手段を設けることを特徴とする現金自動取引装置。
【請求項４】
請求項３における、利用者希望金額の受け取りを、現金にて払い出す手段と、利用者指定口座に振り込む手段を設けることを特徴とする現金自動取引装置。
【請求項５】
請求項３において、利用者が希望する払い出し金額を前記カードから差し引いた際に、前記カードの価値がなくなり、かつ利用者がこれを不要と判断した場合、前記カードを装置内に蓄積する手段を設けることを特徴とする現金自動取引装置。
【請求項６】
請求項１，２，３，４，５において一定期間内における前記カード類の換金総額を、カードごとに集計する手段と、その集計結果を他装置により出力する手段と、前記集計結果を上位装置に送信する手段を設けることを特徴とする現金自動取引装置。
【請求項７】
請求項１，２，３，４，５において上位装置、または他装置により、前記カード類を識別する情報を指定する手段と、指定された識別情報を元に、前記カード類が換金可能なカードであるかを判定し、換金不可能なカードであると判断された場合には、その旨を伝える画面を表示し、カードを返  却する手段を設けることを特徴とする現金自動取引装置。
【発明の詳細な説明】
【０００１】
【発明の属する技術分野】
この発明は、金融機関等に設置されている現金自動取引装置に関する。
【０００２】
【従来の技術】
購入金額相当が記録されたカードを換金する手段を備えた装置として下記の特許文献１があるが、これは両替装置であり、現金自動取引装置において、同手段を備えた装置はこれまで無かった。また、前記カードの換金率の設定、換金率に基づく換金可能額の表示、換金可能額以下の任意換金額指定等の手段を備えた装置は、これまで存在しなかった。
【０００３】
【特許文献１】
特開平１０−２８９３５５号公報
【０００４】
【発明が解決しようとする課題】
特許文献１にて示された両替装置は、特定の店舗、かつ単一のカードに対してのみ換金可能であるため、利用者が限られてしまう。また、特許文献１では、換金額の設定の手段が示されておらず、換金額を決定する換金率の設定を、利用状況、プレミア等に応じて変更することができない。また、特許文献１では、前記カード類の換金額全額を換金してしまうため、利用者の要望に合わせて換金金額を指定することができず、使い勝手に問題がある。また、特許文献１では、前記カード類を識別する手段が記されていないため、複数種類の前記カード類を換金することができない。
【０００５】
以下に上記のような問題を解決し、なおかつ前記カード類の利用範囲の拡大、及び利便性の改善を行うための課題を示す。
【０００６】
第１の発明の課題は、プリペイドカード等の、金額相当の情報が記録されたカード類を、現金自動取引装置において、現金化する手段を備えることにより、利便性の改善、及び他現金自動取引装置との差別化を図ることにある。
【０００７】
第２の発明の課題は、前記カード類を換金する際の換金率を随時設定可能とする手段を備えることにより、状況に応じた柔軟なサービスを利用者に提供することにある。
【０００８】
第３の発明の課題は、前記カード類の換金可能金額内において、任意の金額を指定する手段を備えることにより、利用者の希望する金額のみを前記カード類から換金可能とし、使い勝手を向上させることにある。
【０００９】
第４の発明の課題は、利用者が前記カード類の換金金額を現金にて受け取る、もしくは利用者指定の口座に、指定換金金額を振り込む手段を設けることにより、使い勝手を向上させることにある。
【００１０】
第５の発明の課題は、換金可能金額が０円となったカードを、利用者の判断により、現金自動取引装置内に蓄積する手段を設けることにより、利用者の利便性を改善することにある。
【００１１】
第６の発明の課題は、前記カード類の換金金額情報を上位装置に送信することにより、換金金額負担者による前記カード類運用情報の確認を効率化することにある。
【００１２】
第７の発明の課題は、前記カード類の種類を判断する手段を備えることにより、利用者は複数種類のカード類を換金することができることにある。
【００１３】
【課題を解決するための手段】
第１の発明の現金自動取引装置（請求項１）は、購入金額相当記録カードが換金可能であれば、現金自動取引装置にカード換金可能金額情報を表示し、利用者に換金を行うかどうかを選択させる。ここで利用者により換金を行う意思が確認された場合、前記カードを換金する。
【００１４】
第２の発明の現金自動取引装置（請求項２）は、上位装置に記憶する前記カード情報に、カード毎の換金率を設定可能とする。利用者は、前記カードを換金する際、カード毎の換金率を元に算出した換金金額を受け取る。また、この換金率は、他装置により随時設定可能とする。
【００１５】
第３の発明の現金自動取引装置（請求項３）は、利用者が前記カードを換金する際に、画面に表示された換金可能金額内であれば任意の金額を指定できるようにする。また、前記カードを換金した結果、換金可能金額が０円以上であれば、前記カードに記録された情報を更新し、利用者に返却する。
【００１６】
第４の発明の現金自動取引装置（請求項４）は、利用者が前記カードを換金した際、換金金額を受け取る方法について、現金にて受け取るか、指定口座に振り込むかを選択できるようにする。現金にて受け取る方法を選択した場合は、換金金額を現金自動取引装置の入出金機構から払い出す。指定口座に振り込む方法を選択した場合は、口座を指定し、換金金額の振り込みを行う。
【００１７】
第５の発明の現金自動取引装置（請求項５）は、前記カード換金後に、カードの換金可能金額が０円である場合、利用者にカードが不要かどうかを選択させる画面を表示する。ここで利用者がカードを不要と判断した場合、カードを媒体受付機構に設けた蓄積場所に格納させる。
【００１８】
第６の発明の現金自動取引装置（請求項６）は、利用者が前記カードを換金する際に、換金金額を上位装置へ送信させる。上位装置では、前記カードの一情報である換金金額総額を読み取り、この金額を加算した金額を、再び上位装置に記憶させる。
【００１９】
第７の発明の現金自動取引装置（請求項７）は、利用者が購入金額相当記録カードを自動取引装置へ提供した際に、前記カードが換金可能かどうかを上位装置に記憶されたカード識別情報を元に判断する。この情報は、他装置により随時設定可能とする。
【００２０】
【発明の実施の形態】
以下、この発明の一実施例について図面を参照して説明する。
【００２１】
図１は、上位装置２０と現金自動取引装置３０と他装置１０によって構成されている。
【００２２】
現金自動取引装置３０は利用者から提供された購入金額相当カード類を媒体受付機構３１にて受け付け、利用者が入力部３６にて操作し、前記カード類換金可能金額範囲内において、利用者の希望する金額を払い出す。媒体受付機構３１は利用者から提供された前記カード類を受け付け、前記カード類に記録された情報を読み取り、制御部３２に通知する。又、前記カード類を利用者に返却する必要がある際に、前記カード類を利用者に返却する等の処理を行う。なお、同機構の構成を図２に示す。制御部３２は現金自動取引装置３０での各機構、各部を制御する。明細票印字機構３３は利用者に取引履歴情報を明細票に印字し利用者に受け取りを行う。通信部３４は現金自動取引装置３０と上位装置２０との間を接続する回線１２を制御する。表示部３５は利用者への案内、前記カード類情報の表示、誘導指示を表示する。入力部３６は表示部３５の案内、誘導指示により利用者の指示を入力を行う。記憶制御部３７は現金自動取引装置３０で使用するプログラム、表示部３５に表示する表示情報、媒体受付機構３１で受け付けした前記カード類の情報等を記憶部３８に記憶、読み出しを制御する。記憶部３８は現金自動取引装置３０で使用するプログラム、表示部３５に表示する表示情報、媒体受付機構で受け付けした前記カード類の情報等を記憶している。現金入出金機構３９は現金自動取引装置３０に現金を入出金する必要のある時に、現金の受け付け、もしくは現金の払い出しを行う。上位装置２０は現金自動取引装置３０と接続し、複数台の現金自動取引装置３０と接続可能が可能で、現金自動取引装置３０より依頼された前記カード類のカード識別情報、換金率等の情報を検索し、必要な情報を現金自動取引装置３０に通知する。また、複数台の他装置１０と接続可能が可能で、他装置１０からの操作に応じて回線１１を経由して前記カード類の情報の検索、登録、変更、削除等を行う。通信部２１は他装置１０と上位装置２０を接続する回線１１を制御する。制御部２２は上位装置２０での各機構、各部を制御する。記憶制御部２３は上位装置２０で使用するプログラムの読み出し、前記カード類情報の検索、登録、削除、変更等を制御する。通信部２４は、上位装置２０と自動取引装置３０との間を接続する回線１２を制御する。記憶部２５は、上位装置２０で使用するプログラム、前記カード類の識別情報、換金金額の情報等からなるデータベーステーブル１９０等を記憶している。他装置１０は、表示部、入力部、及び回線１１を用いて通信を行える装置を備えた装置であり、購入金額相当記録カードの換金金額負担者が、前記カードの識別情報等を上位装置２０の記憶部２５に記憶されているデータベーステーブル１９０に設定する。
【００２３】
図１は一実施例を現しているため取引履歴情報を印字する明細票印字機構３３に相当する電子的記憶媒体に出力する手段でも可能。また、利用者の入力を行う入力部３６にはキー入力、音声入力、電子的記憶媒体による入力等の入力手段でも可能。また、回線１２は無線等の手段も可能である。
【００２４】
図２は、媒体受付機構３１の構成を示しており、現金自動取引装置３０に挿入された前記カードに対して、情報読み取り、蓄積、返却等の処理を行う。搬送装置５１は受け付けられた購入金額相当記録カードを、カード情報制御装置５２、または不要カード蓄積場所５３まで搬送する。カード情報制御装置５２は前記カードが挿入された場合、カードに記録された情報を読み取る。または、前記カードが換金可能なカードであり、利用者が換金を行った場合に、前記カードに記録された購入金額相当の情報を、適切な情報書き換える。回収箱５３は換金後に前記カードの価値がなくなり、かつ利用者がこれを不要と判断した場合に前記カードを蓄積する。
【００２５】
図３は、本発明である請求項２の媒体受付機構３１に受け付けられた購入金額相当記録カードの換金金額の表示を行うと共に、本発明である請求項１の前記カードを換金することを希望するかどうかを利用者に尋ねる換金限度額表示画面１００であり、表示部３５に表示される。１０１は前記カードの換金金額を表示する換金金額表示部分、１０２は利用者が前記カードの換金を希望する場合に、押されるはいキー、１０３は利用者が前記カードの返却を希望する場合に、押されるいいえキーである。
【００２６】
図４は、本発明である請求項３の前記カードの換金金額の範囲内において、利用者の希望する金額を指定する換金金額指定画面１１０であり、表示部３５に表示される。１１６は換金可能金額を表示する換金可能金額部分。１１１は利用者の希望する前記カード換金金額を指定する指定換金額表示部分である。１１２は指定換金額表示部分１１１の金額を指定するために、押される金額入力キーである。１１３は前記カードの換金可能金額全額を、換金金額を示す指定換金額表示部分１１１に指定する全額キー。１１４は利用者が指定換金額表示部分１１１に指定した金額分を前記カードから換金することを確認した場合に、押される完了キー。１１５は利用者が受け付けられた前記カードの返却を希望する場合に、押される取り消しキーである。
【００２７】
図５は、換金金額指定画面（図４、１１０）において利用者が指定した指定換金額表示部分１１１の金額が、前記カードの換金可能金額を上回っていた場合に利用者に再入力を促す画面１２０であり、表示部３５に表示される。１２１は指定換金額表示部分１１１に指定した換金金額が、前記カード換金可能金額を上回っていることを利用者が確認した場合に押される金額指定画面へキーである。
【００２８】
図６は、本発明である請求項４の指定換金額表示部分１１１に指定した前記カードの換金金額を利用者に支払う際に、現金にて払い出すか、または利用者指定の口座に入金するかを、利用者に選択させるために、表示部３５に表示される換金金額受取方法指定画面１３０である。１３１は指定換金額表示部分１１１に指定した金額を、利用者が現金にて入出金機構３９から払い出すことを希望した場合に押される現金キーである。１３２は指定換金額表示部分１１１に指定した金額を、利用者が指定口座に入金することを希望した場合に押される指定口座振込キーである。
【００２９】
図７は、本発明である請求項５の、前記カード換金後カードの換金可能金額が０円相当になった場合に、利用者に前記カードの返却を希望するかを尋ねる換金可能金額０円相当カード処理選択画面１４０であり、表示部３５に表示される。１４１は利用者が前記カードの返却を希望しない場合に押される不要キーである。１４２は利用者が前記カードの返却を希望する場合に押される返却キーである。
【００３０】
図８は、前記カード換金後の残り換金可能金額を表示し利用者に同金額を伝える換金後のカード換金可能金額確認画面１５０であり、表示部３５に表示される。１５１は指定換金額表示部分１０１に示した前記カード換金金額から指定換金額表示部分１１１に指定された換金金額を差し引いた金額を表示する残換金額部分である。１５２は残換金額部分１５１に示された前記カードの換金可能金額を、利用者が確認した場合に押される確認キーである。
【００３１】
図９は、本発明である請求項７の媒体受付機構３１に受け付けられた購入金額相当記録カードが、記憶部２５に記憶されたテーブル１７０に登録されていなかった場合に表示部３５に表示される換金不可能カード受付時の確認画面１６０である。画面表示と同時に前記カードを媒体受付機構３１から利用者に返却する。
【００３２】
図１０は、購入金額相当記録カードを新規登録するか、または既に登録された前記カード情報の確認、もしくは変更を行うかをカード換金金額負担者に選択させるための設定情報選択画面１７０であり、他装置１０に表示される。１７１は現金自動取引装置３０で換金可能な前記カードを登録する場合に、カード換金金額負担者によって押される新規キーである。１７２は既に登録されている前記カード情報を確認、または一部情報を変更する場合に、カード換金金額負担者によって押される変更キーである。
【００３３】
図１１は、購入金額相当記録カードの換金金額負担者が、前記カードを現金自動取引装置３０にて換金可能とするためのカード識別情報と、カードの換金金額を決定する換金率と、カード換金金額を負担する口座情報と、換金金額負担者を認証する情報を指定する新規登録カード情報入力画面１７３であり、他装置１０に表示される。設定された各情報は、上位装置２０内の記憶部２５に記録されたテーブル１９０に記憶される。本新規登録カード情報入力画面１７３により、本発明の請求項７である前記カード類を識別する情報を指定する手段を実現する。１７４は前記カードの識別情報であり、データベース項目１９１に記録される情報でカード識別情報表示部ある。１７５は前記カードの換金率であり、データベース項目１９２に記録される情報で換金率表示部分ある。１７６は前記カードの換金金額を負担する口座であり、データベース項目１９３に記録される情報で換金額負担口座表示部分である。１７７は前記カードの各情報の設定、及び運用情報画面１９０を表示する際の認証等に用いられる情報で個人識別情報表示部である。
【００３４】
１７８は新規登録カード情報入力画面１７３の各入力項目内容１７４〜１７７を、上位装置２０内の記憶部２５に記録されたテーブル１９０に記憶する場合に換金金額負担者によって押される完了キーである。
【００３５】
１７９は前記カード情報設定処理を中止する場合に、換金金額負担者によって押される中止キーである。
【００３６】
図１２は、新規登録カード情報入力画面１７３で設定された購入金額相当記録カードの運用情報を、換金金額負担者が確認、または変更する既登録カード運用情報画面１８０であり、他装置１０に表示される。本画面により、本発明の請求項２である前記カード類の換金率を指定する手段を実現する。１８３に示した換金金額負担口座の残高を示す。
【００３７】
１８２は前記カード類に記録された購入金額相当分を現金にする際の換金率であり、テーブル１９０内の１９３に指定した情報が換金率表示部分である。換金金額負担者はこの情報を随時設定することにより本発明である請求項２を実現する。１８３は前記カードの換金金額を負担する口座の口座番号情報であり、テーブル１９０内の１９１に指定した情報が換金額負担口座表示部分に表示される。１８４は換金金額負担者が、カードの運用情報を確認、または運用情報を適切な情報に変更した際に押される完了キーである。１８５は変更したカード運用情報をデータベース１９０に反映せずに処理を中止する場合に押される中止キーである。
【００３８】
図１３は、現金自動取引装置３０で換金可能な購入金額相当記録カードに関する情報を保持するデータベースであり、データベーステーブル内容を他装置１０により回線１１を介して上位装置２０内の記憶部２５に記憶される。カード識別情報１９１は媒体受付機構３１で受け付けられた購入金額相当記録カードを一意に識別するための情報が記憶されている項目あり、この情報が前記データベースに登録されている場合のみ前記カード換金処理を行う。換金率１９２は前記カードの換金率を示す値が記憶されている項目であり、この値により前記カードの残り購入金額相当に応じて、換金可能金額を計算する。換金総額１９３は前記カード類の換金総額が記憶されている項目であり、本発明である請求項６の、一定期間内における前記カード類の換金総額を、カードごとに集計する手段を実現する。換金額口座１９４は前記カードの換金金額負担者が指定する口座情報が記憶されている項目であり、前記カードの換金が行われる度に、同口座より換金金額分を差し引く。換金金額負担者認証情報１９５は前記カードの換金金額負担者の認証情報が記憶されている項目であり、前記カード情報の更新、運用情報の表示等を行う場合に利用される。
【００３９】
図１４は、利用者が現金自動取引装置３０の媒体受付機構３１に購入金額相当記録カードが受け付けられた際に、利用者の操作に応じて前記カード換金等の処理を行う制御部３２の制御フローである。
【００４０】
ステップ２０１は、媒体受付機構３１に受け付けられた前記カードを、搬送装置５１によってカード制御装置５２まで搬送し、カード制御装置５２によって前記カードのカード識別情報、およびカードに記録された残り購入金額相当情報を読み取る。読み取られた情報を記憶制御部３７の記憶部３８に記憶し、次ステップ２０２へ制御を移行させる。
【００４１】
ステップ２０２は、記憶部３８に記憶された前記カードの識別情報を、通信制御部３４、回線１２、通信制御部２４を介して上位装置２０の制御部２２に送信する。制御部２２は受信した前記カード識別情報を、記憶制御部２３を介して記憶部２５に記憶されたデータベーステーブル１９０のカード識別情報項目１９１から検索する。検索の結果、前記カード識別情報が既に登録されていれば、該当するカードの情報である換金率１９２、換金額口座１９４を通信制御部２４、回線１２、通信制御部３４、記憶制御部３７を介して記憶部３８に記憶させ、ステップ２０３へ制御を移行させる。前記カード情報が登録されていない場合、ステップ２０４へ制御を移行させる。ステップ２０３は、制御部３８に記憶された前記カード残り購入金額相当情報と、前記カード換金率を元に、カード換金可能金額を算出し、同金額を記憶制御部３７を介して記憶部３８に記憶させる。さらに換金限度額表示画面１００を表示部３５に表示し、ステップ２０５へ制御を移行させる。ステップ２０４は、現金自動取引装置３０に受け付けられたカードが換金できないことを示す画面１６０を表示装置３５に表示し、ステップ２１６へ制御を移行させる。
【００４２】
表示後、利用者の選択を待つステップ２０５，２０６において、ステップ２０５は、ステップ２０３で表示された換金限度額表示画面１００において、利用者によってはいキー１０２が押された場合、ステップ２０６へ制御を移行させる。はいキー１０２が押されていない場合、ステップ２０６へ制御を移行させる。ステップ２０６は、ステップ２０３で表示された換金限度額表示画面１００において、利用者によっていいえキー１０３が押された場合、ステップ２１８へ制御を移行させる。いいえキー１０３が押されていない場合、ステップ２０５へ制御を移行させる。ステップ２０７は、利用者が前記カードからの換金金額を指定する換金金額指定処理ステップである。適切な換金金額指定後、ステップ２０８へ制御を移行させる。ステップ２０８は、換金金額指定処理ステップ２０７で指定した換金金額を現金、もしくは指定口座に振り込むことにより、同金額を利用者に払い出し、ステップ２０９へ制御を移行させる。ステップ２０９は、記憶部３８に記憶されたカード換金可能金額とステップ２０７で指定された換金金額を差し引き、同金額を記憶制御部３７を介して記憶部３８に記憶させ、ステップ２１０へ制御を移行させる。ステップ２１０は、記憶部３８に記録されたカードの残り換金可能金額と、前記カードの換金率を元に、前記カードの残り換金金額相当情報を算出する。同情報をカード情報制御装置５２によって前記カードに書き込み、ステップ２１１へ制御を移行させる。ステップ２１１は、ステップ２０７で設定した換金金額を、データベーステーブル１９０内の前記カード換金総額を示す項目１９３に加算し、ステップ２１２へ制御を移行させる。ステップ２１２は、記憶部３８に記憶された前記カード換金後の換金可能金額が０円相当の場合、制御をステップ２１３へ移行させる。換金可能金額が１円以上であれば、制御をステップ２１４へ移行させる。ステップ２１３は、換金可能金額が０円相当となった前記カードを利用者に返却するかどうかを選択させるため、換金可能金額０円相当カード処理選択画面１４０を表示部３５に表示し、制御をステップ２１５へ移行させる。ステップ２１４では、利用者に換金後の前記カード換金可能金額を知らせるため、換金後のカード換金可能金額確認画面１５０を表示部３５に表示させ、利用者によりキー１５２が押された後、制御をステップ２１８へ移行させる。表示後、利用者の選択を待つステップ２１５，２１６において、ステップ２１５では、表示部３５に表示されている換金可能金額０円相当カード処理選択画面１４０において、利用者によって不要キー１４１が押された場合、制御を２１７へ移行させる。不要キー１４１が押されていない場合、制御をステップ２１６へ移行させる。ステップ２１６では、表示部３５に表示されている換金可能金額０円相当カード処理選択画面１４０において、利用者によって返却キー１４２が押された場合、制御を２１８へ移行させる。返却キー１４２が押されていない場合、制御をステップ２１５へ移行させる。ステップ２１７では、搬送装置５１によって前記カードをカード蓄積場所５３へ格納させる。ステップ２１８では、搬送装置５１によって前記カードを挿入口へ搬送させ、利用者に前記カードを返却する。ステップ２１８終了後、自動取引装置３０の通常メニュー画面を表示部３５に表示させる。
【００４３】
図１５は、購入金額相当記録カード換金フロー（図１４）に示した購入金額相当記録カードの換金処理内において、利用者が換金金額を指定するステップ２０７の詳細な流れを示した図である。
【００４４】
ステップ２２０では、利用者に前記カードの換金金額を指定させるための換金金額指定画面１１０を表示部３５に表示し、ステップ２２１へ制御を移行させる。ステップ２２１では、表示部３５に表示されている換金金額指定画面１１０において、完了キー１１４が押された場合、指定換金額表示部分１１１に指定された前記カード換金金額を記憶制御部３７を介して記憶部３８に記憶させ、ステップ２２６に制御を移行させる。完了キー１１４が押されていない場合、制御をステップ２２２へ移行させる。ステップ２２２では、表示部３５に表示されている指定換金額表示部分画面１１０において、全額キー１１３が押された場合、ステップ２２４に制御を移行させる。全額キー１１３が押されていない場合、制御をステップ２２３へ移行させる。ステップ２２３では、表示部３５に表示されている指定換金額表示部分画面１１０において、取り消しキー１１５が押された場合、ステップ２２５に制御を移行させる。全額キー１１３が押されていない場合、制御をステップ２２１へ移行させる。ステップ２２４では、記憶部３８に記録された前記カード換金可能金額を記憶制御部３７を介して読み出し、指定換金額表示部分画面１１０上の指定換金額表示部分１１１に表示させ、制御をステップ２２１へ移行させる。ステップ２２５では、利用者によって指定された指定換金額表示部分１１１に表示されている金額を未入力状態に戻し、制御をステップ２２１へ移行させる。ステップ２２６では、利用者によって指定換金額表示部分１１１に指定された前記カード換金金額が、換金可能金額部分１１６に表示された前記カード換金可能金額以下である場合、図１４のステップ２０８へ制御を移行させる。指定換金金額が前記カード換金可能金額を超えている場合、制御をステップ２２７へ移行させる。ステップ２２７では、入力換金金額不正時表示画面１２０を表示部３５に表示させ、利用者に指定金額が不正であることを伝える。ここで利用者により金額指定画面へキー１２１が押された後、制御をステップ２２０へ移行させる。
【００４５】
図１６は、購入金額相当記録カード換金フロー（図１４）に示した購入金額相当記録カードの換金処理内において、利用者が換金金額を受け取るステップ２０８の詳細な流れを示した図である。
【００４６】
ステップ２３０は、換金金額を利用者が受け取る手段を指定する画面である換金金額受取り方法指定画面１３０を表示部３５に表示させ、制御をステップ２３１へ移行させる。ステップ２３１は、換金金額受取り方法指定画面１３０において現金キー１３１が押された場合、制御をステップ２３３へ移行させる。指定口座振込キー１３２が押されていない場合、制御をステップ２３２へ移行させる。ステップ２３２は、換金金額受取り方法指定画面１３０において現金キー１３１が押された場合、制御をステップ２３４へ移行させる。現金キー１３１が押されていない場合、制御をステップ２３１へ移行させる。ステップ２３３は、利用者が換金金額を指定口座に振り込むための処理を呼び出し、制御をステップ２３５へ移行させる。なお、この処理は既存の現金自動取引装置における口座振込処理と同じであるため、処理方式等は省略する。ステップ２３４は、利用者が換金金額を現金にて受け取るために、記憶部３８に記憶された指定換金金額を記憶制御部３７を介して読み出し、同金額を現金入出金機構３９に払い出す。その後、制御をステップ２３５へ移行させる。ステップ２３５では、データベーステーブル項目換金額口座１９４に示した口座を、記憶制御部２３を介して読み出し、制御をステップ２３６へ移行させる。ステップ２３６では、ステップ２３５で読み出された口座の残高から前記カード換金金額分を差し引き、制御を図１４のステップ２０９へ移行させる。
【００４７】
図１７は、購入金額相当記録カードの換金金額負担者が、他装置１０から前記カード情報の登録、変更、確認の処理を行う際に、換金金額負担者の操作に応じて処理を行う制御部２２の制御フローである。
【００４８】
ステップ２４１は、設定情報選択画面１７０を他装置１０に表示し、制御をステップ２４２へ移行させる。換金金額負担者は、現金自動取引装置３０にて換金可能なカードを新規登録する場合、新規キー１７１を押し、現金自動取引装置３０にて既に換金可能となっているカード情報を確認、変更する場合は変更キー１７２を押す。ステップ２４２は、他装置１０に表示されている設定情報選択画面１７０において、新規キー１７１が押されていた場合、制御をステップ２４４へ移行させる。新規キー１７１が押されていない場合、制御をステップ２４３へ移行させる。ステップ２４３は、他装置１０に表示されている設定情報選択画面１７０において、変更キー１７２が押されていた場合、制御をステップ２４５へ移行させる。変更キー１７２が押されていない場合、制御をステップ２４２へ移行させる。ステップ２４４は、新規登録カード情報入力画面１７３を他装置１０に表示し、制御をステップ２４６へ移行させる。換金金額負担者は、表示された新規登録カード情報入力画面１７３に対して前記カードの情報を入力する。ステップ２４５は、既登録カード運用情報画面１８０を他装置１０に表示し、制御をステップ２４８へ移行させる。換金金額負担者は、表示された前記カード情報を確認し、必要であれば設定情報を変更する。ステップ２４６は、新規登録カード情報入力画面１７３において、換金金額負担者によって完了キー１７８が押された場合、制御をステップ２５０へ移行させる。完了キー１７８が押されていない場合、制御をステップ２４７へ移行させる。ステップ２４７は、新規登録カード情報入力画面１７３において、換金金額負担者によって中止キー１７９が押された場合、処理を終了させる。中止キー１７９が押されていない場合、制御をステップ２４６へ移行させる。ステップ２４８は、既登録カード運用情報画面１８０において、換金金額負担者によって完了キー１８４が押された場合、制御をステップ２５１へ移行させる。完了キー１８４が押されていない場合、制御をステップ２４９へ移行させる。ステップ２４９は、既登録カード運用情報画面１８０において、換金金額負担者によって中止キー１８５が押された場合、処理を終了させる。中止キー１８５が押されていない場合、制御をステップ２４８へ移行させる。ステップ２５０は、換金金額負担者により新規登録する前記カード情報の入力が完了した場合の処理であり、新規登録カード情報入力画面１７３に設定した前記カード情報を、回線１１、通信制御部２１、記憶制御部２３を介して記憶部２５に記憶されたデータベース１９０に追加し、処理を終了させる。ステップ２５１は、既登録カード運用情報画面１８０に設定したカード情報において、換金金額負担者によって変更された情報により、回線１１、通信制御部２１、記憶制御部２３を介して記憶部２５に記憶されたデータベース１９０を更新し、処理を終了させる。
【００４９】
【発明の効果】
様々な場所に設置されている現金自動取引装置において、プリペイドカードのような購入金額相当記録カード類を換金できるため、利用者は不要となった前記カード類を、自動取引装置利用の際、手軽に換金することができる。また、前記カード類発行者は前記カード類を換金する際に必要な運用情報を随時設定できるため、柔軟に前記カード類を運用することができる。また、前記カード類を換金する際、任意の換金金額を指定可能とすることにより、利用者は柔軟に前記カード類を換金できる。また、前記カード類換金金額を現金にて払い出し、もしくは利用者指定口座に直接振り込むことを可能とすることにより、利用者は状況に応じて柔軟に同金額を受け取ることができる。また、前記カード類の換金金額が０円となった際に、前記カードを装置内に蓄積する手段を設けることにより、利用者が不要なカードを処分する手間を省くことができる。また、複数種類の前記カード類を換金可能とすることで、利用者はカードの種類を意識することなく、前記カード類を換金できる。以上述べたことにより、利便性に優れた現金自動取引装置を提供できる。
【図面の簡単な説明】
【図１】装置構成例。
【図２】媒体受付機構構成。
【図３】換金限度額表示画面。
【図４】換金金額指定画面。
【図５】入力換金金額不正時表示画面。
【図６】換金金額受け取り方法指定画面。
【図７】換金可能金額０円相当カード処理選択画面。
【図８】換金後のカード換金可能金額確認画面。
【図９】換金不可能カード受付時の確認画面。
【図１０】設定情報選択画面。
【図１１】新規登録カード情報入力画面。
【図１２】既登録カード運用情報画面。
【図１３】購入金額相当情報記録カード対応データベーステーブル。
【図１４】購入金額相当記録カード換金フロー。
【図１５】換金金額指定処理。
【図１６】換金金額受け取り処理。
【図１７】購入金額相当記録カード情報設定フロー。
【符号の説明】
１０…他装置、２０…上位装置、３０…自動取引装置、５０…媒体受付機構、１００…換金限度額表示画面、１１０…換金金額指定画面、１２０…入力換金金額不正時表示画面、１３０…換金金額受け取り方法指定画面、１４０…換金可能金額０円相当カード処理選択画面、１５０…換金後のカード換金可能金額確認画面、１６０…換金不可能カード受付時の確認画面、１７０…設定情報選択画面、１７３…新規登録カード情報入力画面、１８０…既登録カード運用情報画面、１９０…金額相当情報記録カード対応データベーステーブル。
【図１】
2004164356.tif 000003
【図２】
2004164356.tif 000004
【図３】
2004164356.tif 000005
【図４】
2004164356.tif 000006
【図５】
2004164356.tif 000007
【図６】
2004164356.tif 000008
【図７】
2004164356.tif 000009
【図８】
2004164356.tif 000010
【図９】
2004164356.tif 000011
【図１０】
2004164356.tif 000012
【図１１】
2004164356.tif 000013
【図１２】
2004164356.tif 000014
【図１３】
2004164356.tif 000015
【図１４】
2004164356.tif 000016
【図１５】
2004164356.tif 000017
【図１６】
2004164356.tif 000018
【図１７】
2004164356.tif 000019